(57)【要約】【課題】呼吸モニタ等の装置を使用することなく、撮影時に得られるデータをソフト上にて処理することで、被検体の呼吸による体動の影響を補正して、簡単且つ容易に良好な画像を得ることができる核医学診断装置を提供する。【解決手段】被検体からの放射線検出に基づく画像データ収集を行いつつ（ステップ１）、これより得られる画像内において、呼吸による放射線カウント値の変化が大きくなる場所に関心領域の設定を行う（ステップ２）。そして、この関心領域内における放射線カウント値を計測して（ステップ３）、その時間的変化を表す変位曲線を作成する（ステップ４）。さらに、その変位曲線を所定数にて複数の位相に分割する処理を行い、これに対応する画像データを位相毎に分割する（ステップ５）。さらに、位相毎に分割された画像データを各々加算処理することで、位相毎の画像を作成して（ステップ５）、これを画面に表示する（ステップ６）。【選択図】　　　図３
2004045318.tif 000002
【特許請求の範囲】
【請求項１】
被検体より放出された放射線を検出して、該放射線の検出結果に基づく画像データ群より前記被検体に関する画像を作成する核医学診断装置であって、
前記被検体より放出された放射線を検出する放射線検出手段と、
該放射線検出手段からの検出結果に基づく画像データ群より画像を作成する第１の画像作成手段と、
該画像作成手段により作成される画像内において関心領域を設定する関心領域設定手段と、
該関心領域設定手段により設定された前記画像の関心領域内における放射線のカウント値を時間経過と共に計測する計測手段と、
該計測手段からの前記放射線のカウント値の時間的変化に応じて、前記画像データ群を所定の位相毎に分類する位相分類手段と、
該位相分類手段により分類された前記画像データ群を基に前記位相毎の画像を作成する第２の画像作成手段とを有することを特徴とする核医学診断装置。
【請求項２】
被検体より放出された放射線を検出するための放射線検出手段と、
該放射線検出手段からの検出結果に基づく画像データ群より画像を作成するための第１の画像作成手段と、
該画像作成手段により作成される画像内において関心領域を設定するための関心領域設定手段と、
前記関心領域設定手段により設定された前記画像の関心領域内における放射線のカウント値を時間経過と共に計測するための計測手段と、
該計測手段からの前記放射線のカウント値の時間的変化に応じて、前記画像データ群を所定の位相毎に分類するための位相分類手段と、
該位相分類手段により分類された前記画像データ群を基に前記位相毎の画像を作成するための第２の画像作成手段と、
前記放射線検出手段により前記被検体からの放射線を検出して、前記第１の画像作成手段により前記放射線検出手段からの検出結果に基づく画像データ群から画像を作成して、前記関心領域設定手段により前記画像内において関心領域を設定して、前記計測手段により前記関心領域内における放射線のカウント値を時間経過と共に計測して、前記位相分類手段により前記放射線のカウント値の時間的変化に応じて前記画像データ群を所定の位相毎に分類して、前記第２の画像作成手段により前記位相毎に分類された画像データ群を基に前記位相毎の画像を作成するための制御を行う制御手段と、を含み構成されることを特徴とする核医学診断装置。
【請求項３】
前記関心領域設定手段は、前記被検体の呼吸体動により前記放射線のカウント値の時間的変化が大きくなる特定部分に前記関心領域を設定することを特徴とする請求項１又は請求項２に記載の核医学診断装置。
【請求項４】
前記特定部分は、肺下部であることを特徴とする請求項３に記載の核医学診断装置。
【請求項５】
前記位相分類手段は、
前記放射線のカウント値の時間的変化を表す変位曲線を作成するための変位曲線作成手段と、
前記変位曲線を前記被検体の呼吸周期毎に所定数にて分割することでこれを複数の位相群に分割するための位相分割手段と、
前記位相群に対応して前記画像データ群を位相毎に分類するための画像データ分類手段とを、含み構成されることを特徴とする請求項１又は請求項２に記載の核医学診断装置。
【請求項６】
前記所定数を任意に設定するための分割数設定手段をさらに有することを特徴とする請求項５に記載の核医学診断装置。
【発明の詳細な説明】
【０００１】
【発明の属する技術分野】
本発明は、被検体の胸部や腹部を撮影する場合に、前記被検体の呼吸体動による影響を低減して、良好な画像を得ることのできる核医学診断装置に関するものである。
【０００２】
【従来の技術】
従来から、放射線同位元素（以下、「ＲＩ」と称する。）により標識した薬剤を被検体内に投与して、当該ＲＩから放射されるガンマ線を検知・計測した結果に基づいて、当該ＲＩの被検体内における分布の様子を画像化する核医学診断装置が提供されている。また、前記画像を所定の断層像として得るために、検出器としてガンマカメラ（ガンマ線を検出して、ＲＩの二次元分布を撮影するカメラ）を用いて、これを被検体の体軸を軸として３６０度回転させて撮影を行う装置（図８参照）、所謂ＳＰＥＣＴ（Ｓｉｎｇｌｅ　Ｐｈｏｔｏｎ　Ｅｍｉｓｓｉｏｎ　Ｃｏｍｐｕｔｅｄ　Ｔｏｍｏｇｒａｐｈｙ）装置が広く知られている。
【０００３】
しかしながら、このＳＰＥＣＴ装置を含む核医学診断装置を用いて行われる核医学検査においては、撮影に数分間の時間を要するために、撮影により得られる画像は被検体の呼吸による体動の影響を受け、特に、被検体の胸部や腹部を対象とする撮影においては、呼吸による体動の影響により画像のコントラストが著しく低下する問題があった。
【０００４】
そこで、従来の磁気共鳴装置やＸ線ＣＴ断層装置等においては、被検体の胸部や腹部を対象とする撮影を行う場合、被検体の呼吸を停止してデータ収集を行う、若しくは、被検体の呼吸運動を検出して、この呼吸運動が安定している期間に同期して撮影を行う手法が採られている。
【０００５】
しかしながら、このような手法を実施するためには、被検体の呼吸運動を検出する呼吸モニタ等の装置が必要となり、これに伴いコスト増加や装置の大型化等の問題が生じることになった。
【０００６】
【発明が解決しようとする課題】
本発明は、上記課題を鑑みてなされたものであり、その目的とするところは、被検体の胸部や腹部を対象とする撮影を行う場合に、被検体の呼吸運動を検出する呼吸モニタ等の装置を使用することなく、撮影時に得られるデータをソフト上にて処理することで、被検体の呼吸による体動の影響を補正して、簡単且つ容易に良好な画像を得ることができる核医学診断装置を提供することにある。
【０００７】
【課題を解決するための手段】
上記課題を解決するために、請求項１記載の発明は、被検体より放出された放射線を検出して、該放射線の検出結果に基づく画像データ群より前記被検体に関する画像を作成する核医学診断装置であって、前記被検体より放出された放射線を検出する放射線検出手段と、該放射線検出手段からの検出結果に基づく画像データ群より画像を作成する第１の画像作成手段と、該画像作成手段により作成される画像内において関心領域を設定する関心領域設定手段と、該関心領域設定手段により設定された前記画像の関心領域内における放射線のカウント値を時間経過と共に計測する計測手段と、該計測手段からの前記放射線のカウント値の時間的変化に応じて、前記画像データ群を所定の位相毎に分類する位相分類手段と、該位相分類手段により分類された前記画像データ群を基に前記位相毎の画像を作成する第２の画像作成手段とを有することを特徴とする。
【０００８】
上記課題を解決するために、請求項２記載の発明は、被検体より放出された放射線を検出するための放射線検出手段と、該放射線検出手段からの検出結果に基づく画像データ群より画像を作成するための第１の画像作成手段と、該画像作成手段により作成される画像内において関心領域を設定するための関心領域設定手段と、前記関心領域設定手段により設定された前記画像の関心領域内における放射線のカウント値を時間経過と共に計測するための計測手段と、該計測手段からの前記放射線のカウント値の時間的変化に応じて、前記画像データ群を所定の位相毎に分類するための位相分類手段と、該位相分類手段により分類された前記画像データ群を基に前記位相毎の画像を作成するための第２の画像作成手段と、前記放射線検出手段により前記被検体からの放射線を検出して、前記第１の画像作成手段により前記放射線検出手段からの検出結果に基づく画像データ群から画像を作成して、前記関心領域設定手段により前記画像内において関心領域を設定して、前記計測手段により前記関心領域内における放射線のカウント値を時間経過と共に計測して、前記位相分類手段により前記放射線のカウント値の時間的変化に応じて前記画像データ群を所定の位相毎に分類して、前記第２の画像作成手段により前記位相毎に分類された画像データ群を基に前記位相毎の画像を作成するための制御を行う制御手段と、を含み構成されることを特徴とする。
【０００９】
上記課題を解決するために、請求項３記載の発明は、請求項１又は請求項２に記載の核医学診断装置であって、前記関心領域設定手段は、前記被検体の呼吸体動により前記放射線のカウント値の時間的変化が大きくなる特定部分に前記関心領域を設定することを特徴とする。
【００１０】
上記課題を解決するために、請求項４記載の発明は、請求項３に記載の核医学診断装置であって、前記特定部分は、肺下部であることを特徴とする。
【００１１】
上記課題を解決するために、請求項５記載の発明は、請求項１又は請求項２に記載の核医学診断装置であって、前記位相分類手段は、前記放射線のカウント値の時間的変化を表す変位曲線を作成するための変位曲線作成手段と、前記変位曲線を前記被検体の呼吸周期毎に所定数にて分割することでこれを複数の位相群に分割するための位相分割手段と、前記位相群に対応して前記画像データ群を位相毎に分類するための画像データ分類手段とを、含み構成されることを特徴とする。
【００１２】
上記課題を解決するために、請求項６記載の発明は、請求項５に記載の核医学診断装置であって、前記所定数を任意に設定するための分割数設定手段をさらに有することを特徴とする。
【００１３】
【発明の実施の形態】
以下、本発明に係る核医学診断装置の一実施形態について、図面を参照しながら詳細に説明する。
【００１４】
［核医学診断装置の構成］
図１に、本実施形態における核医学診断装置の全体構成を表す斜視図を示す。同図に示すように、当該核医学診断装置は、主に、被検体Ｐを載置する寝台１と、検出器２２を支持する架台２と、これら寝台１及び架台２の操作を行うための操作コンソール３とから構成されている。
【００１５】
寝台１は、被検体Ｐを載置する天板１１と、これをその両端部にて支持する支持部１２、１３とから構成されている。支持部１２、１３は、互いに同期して駆動することで天板１１を自在に昇降させる。
【００１６】
架台２は、床レール４上に載置される固定台２４と、この固定台２４に回転自在に嵌め込まれた回転リング２３と、この回転リング２３の内面に支持され、寝台１の天板１１上に載置された被検体Ｐから放射される放射線、即ち、ガンマ線を検出するための検出器２２（検出器本体２１）とから構成されている。回転リング２３は、同図における円周方向Ａに沿って自在に回転する。また、固定台２４は、床レール４上を被検体Ｐの体軸Ｚに沿って平行移動する。尚、固定台２４と回転リング２３との信号や電力供給等のやり取りはケーブルを介して行われる。
【００１７】
検出器本体２１は、ＣｄＴｅ或いはＣｄＺｎＴｅ等の複数の半導体検素子が２次元アレイ状に配列されている。このアレイ構造のガンマ線が入射してくる全面にはコリメータが設けられ、検出ガンマ線を特定方向だけに制限している。
【００１８】
尚、検出器２２及び検出器本体２１の構成としては、シンチレータと光増倍管とを用いたものであっても良い。
【００１９】
操作コンソール３は、寝台１の支持部１２、１３や架台２の回転リング２３及び固定台２４等に関する操作を行う操作パネル３１と、被検体Ｐの画像等を表示する表示モニタ３２と、この表示モニタ３２に表示された被検体Ｐの画像内において、関心領域の設定操作等を行うマウス３３とから構成されている。
【００２０】
このような構成において、寝台１の天板１１上に載置された被検体Ｐは、操作パネル３１の操作による支持部１２、１３の昇降により、その体軸Ｚを架台２の回転リングの回転軸と略一致された上で、所定の放射性同位元素を投与され、この放射性同位元素から放射されるガンマ線が検出器２２（検出器本体２１）によって検出される。尚、検出器２２（検出器本体２１）は、検査に応じて、所定の位置に固定される場合、被検体Ｐの体軸Ｚに沿って平行移動される場合、被検体Ｐの体軸Ｚ周りに回転移動される場合等がある。因みに、後述する肺検査においては、検出器２２（検出器本体２１）は所定の位置に固定される。
【００２１】
図２に、当該核医学診断装置の制御構成を表すブロック図を示す。同図に示すように、当該核医学診断装置は、主に、各部の制御を行う中央処理部（ＣＰＵ）１００と、検出器２２からの検出結果に基づき画像データを作成する画像データ作成装置２００と、この画像データの一次的な蓄積手段であるデータ収集メモリ３００と、この画像データを基に画像を作成する画像処理を行う画像作成部４００と、画像処理された後の画像の記憶手段であるディスクユニット５００と、表示モニタ３２に表示される画像内に関心領域を設定する手段である関心領域設定部６００と、この関心領域内における放射線の数を時間経過と共に計測する放射線カウンタ７００と、この放射線カウンタ７００による放射線のカウント値の時間的変化に応じて、データ収集メモリ３００に蓄積された画像データを位相毎に分割する位相分割部８００と、この位相分割部８００により分割された位相毎の画像データを加算処理することで、位相毎の画像を作成する前記画像作成部４００とから構成されている。
【００２２】
尚、ＣＰＵ１００、データ収集メモリ３００、画像作成部４００、ディスクユニット５００、関心領域設定部６００、放射線カウンタ７００及び位相分割部８００等は、通常、１つのコンピュータシステムとして一体化される。
【００２３】
また、ディスクユニット５００には、各種撮影に応じて操作者が選択的に使用可能な所定の撮影動作プログラムや、後述するように、被検体の胸部や腹部を対象とする撮影を行う場合に、撮影時に得られる画像データに基づき被検体の呼吸による体動の影響が補正された画像を作成するための一連の処理を行うための動作プログラム等が記憶されており、これらのプログラムは、操作パネル３１、若しくは、マウス３３の操作により読み出され、ＣＰＵ１００は、そのプログラムの内容に従って各部制御を行いつつ各種演算処理を行い、例えば、画像データを取得する際の天板１１及び検出器２２の検出位置及び検出方向等を設定する処理や、後述する被検体の呼吸による体動の影響が補正された画像を作成するための一連の処理等を行う。
【００２４】
このようにＣＰＵ１００の制御下において、検出器２２によるガンマ線の検出結果は、画像データ作成装置２００へ送信され、画像データ作成装置２００は、その検出結果に基づき画像データを作成する。画像データは、その記憶手段であるデータ収集メモリ３００に記憶された後、このデータ収集メモリ３００から画像作成部４００へ送信される。画像作成部４００は、データ収集メモリ３００から送信された画像データに基づいて画像作成処理を行い、その処理結果である画像を表示モニタ３２に表示する。同時に、画像はディスクユニット５００に記憶される。
【００２５】
［当該核医学診断装置の動作］
次に、以上に説明した当該核医学診断装置の動作について、肺検査を行う場合を例に採り、図３に示すフローチャートに基づいて説明する。
【００２６】
尚、以下に説明する被検体の呼吸による体動の影響が補正された画像を作成するための一連の処理は、ＣＰＵ１００の制御下において行われるものである。
【００２７】
操作者は、まず、操作パネル３１の操作により寝台１の支持部１２、１３、架台２の回転リング２３及び固定台２４を移動させることで、検出器２２を所望の位置に固定した後、天板１１に載置された被検体Ｐに対して放射線同位元素により標識した薬剤を投与して、その放射線同位元素から放射されるガンマ線を検出する（ステップ１）。この時、検出器２２は、ガンマ線を一定の時間間隔（被検体の呼吸体動周期の数分の１）にて繰り返し検出する。その検出結果は、検出器２２より画像データ作成装置２００へと送信され、画像データ作成装置２００は、その検出結果に基づき、画像データを作成する。画像データは、その記憶手段であるデータ収集メモリ３００に記憶されると共に、画像作成部４００へと送信される。画像作成部４００は、図４に示すように、画像データ作成装置２００から送信された画像データに基づき、順次、画像処理を行い、複数枚の画像を作成する。さらに、その複数枚の画像の１つ、例えば最初の１枚を、操作コンソール３の表示モニタ３２に表示する。この時、複数枚の画像は、その記憶手段であるディスクユニット５００に記憶される。尚、本実施形態においては肺検査を行う場合を例に採り説明を行っているため、表示モニタ３２に表示される画像は、被検体の肺に関するものとなっている。
【００２８】
操作者は、次に、表示モニタ３２の画像内において、マウス３３の操作により関心領域ＲＯＩの設定を行う（ステップ２）。尚、この関心領域ＲＯＩの設定に関しては、従来の核医学診断装置における設定方法と同様である。しかしながら、その設定位置に関しては、被検体Ｐの呼吸による体動の影響を受け易い部分とする。具体的には、図５（ａ）、（ｂ）に示すように、呼吸の際に肺Ｑを拡縮させる横隔膜付近、即ち、肺Ｑの下部に設定することとする。以下、この理由について説明する。
【００２９】
関心領域ＲＯＩを肺Ｑの下部に設定した場合には、同図（ａ）に示すように、例えば、肺Ｑが吸気相から呼気相に移行する時期にあり、最も拡張した状態にある時には、関心領域ＲＯＩ内には肺の下部領域の多くが位置することになる。一方、同図（ｂ）に示すように、例えば、肺Ｑが呼気相から吸気相に移行する時期にあり、最も収縮した状態にある時には、関心領域ＲＯＩ内には肺Ｑの下部領域は殆ど位置しなくなる。尚、此処に言う吸気相とは、被検体Ｐが息を吸っている期間のことを指し、呼気相とは、被検体Ｐが息を吐いている期間のことを指している。すると、後述する放射線計測カウンタ７００により関心領域ＲＯＩ内における放射線をカウントした場合、そのカウント値は大きく増減することになる。具体的には、肺Ｑが呼気相にある期間は、放射線のカウント値は大幅に増加し、一方、肺Ｑが吸気相にある期間は、放射線のカウント値は大幅に減少することとなる。このように、関心領域ＲＯＩを肺Ｑの下部に設定することで、放射線計測カウンタ７００による関心領域ＲＯＩ内における放射線をカウント値は大きく増減することになるので、肺Ｑの状態（吸気相から呼気相へ移行する状態、呼気相にある状態、呼気相から吸気相へ移行する状態、吸気相にある状態等）と放射線計測カウンタ７００による放射線のカウント値の変位とを細かく関連付けることができ、これをもって、関心領域ＲＯＩ内においてカウントされる放射線のカウント値の変位を把握することで、肺Ｑの状態を適確に捉えることができるようになる。これが、関心領域ＲＯＩを肺Ｑの下部に設定する理由である。
【００３０】
尚、関心領域ＲＯＩに関する設定情報は、関心領域設定部６００に送信され、その設定内容が反映される。また、関心領域ＲＯＩの形状は、四角形状に限らず、例えば、多角形状、円形状及び楕円形状等であっても良い。
【００３１】
放射線計測カウンタ７００は、検出器２２によるガンマ線の検出と同期して、画像データが作成される毎に、この関心領域ＲＯＩ内における放射線（ガンマ線）のカウント値を計測する。この時、画像データとカウント値は互いに関連付けられた上で、画像データはデータ収集メモリ３００に記憶される。そして、位相分割部８００は、その時間的変化を表す、例えば、図６に示すような変位曲線Ｕを作成して、これを操作コンソール３の表示モニタ３２に表示する（ステップ３）。尚、同図に示す変位曲線Ｕの極大値から極小値までの部分が呼気相Ｒに相当し、極小値から極大値までの部分が吸気相Ｓに相当する。また、呼気相Ｒ及び吸気相Ｓの１組で、呼吸体動の周期Ｔを構成している。
【００３２】
操作者は、次に、表示モニタ３２の図示省略の設定画面において、マウス３３の操作により、この変位曲線Ｕの各周期Ｔを複数の位相に分割する設定を行う。以下、この変位曲線Ｕを複数の位相に分割する具体的な方法について説明する。
【００３３】
位相分割部８００は、変位曲線Ｕにおける極小値（極小値１〜極小値（ｎ＋１））と極大値（極大値１〜極大値（ｎ＋２））を把握した上で、図７に示すように、周期Ｔ毎に、極小値から極大値までの部分（吸気相Ａ）と、極大値から極小値までの部分（呼気相Ｂ）を予め設定された所定数にて分割する。因みに、本例においては、所定数は“２”と設定され、極小値から極大値までの部分（吸気相Ｒ）と、極大値から極小値までの部分（呼気相Ｓ）は、それぞれ２つに分割されている。
【００３４】
操作者は、この時の所定数を任意に設定することが可能であり、具体的には、表示モニタ３２に表示される図示省略の設定画面において、マウス３３を用いてその具体的な数（所定数）を設定し、その設定内容は、上述の位相分割部８００の位相分割処理に反映される（ステップ４）。
【００３５】
すると、画像作成部４００は、この所定数に分割された各位相、即ち、個々の放射線（ガンマ線）のカウント値に対応する画像データを、これが蓄積されたデータ収集メモリ３００から呼び出し、さらに、各々加算処理することで位相毎の画像を作成する（ステップ５）。即ち、本例の場合には、図７に示す位相ａ、位相ａ´及び位相ａ´´…の各々に対応する画像データがデータ収集メモリ３００から呼び出され、これらが加算処理されることで、図８に示す吸気相Ｓから呼気相Ｒに移行する際の画像Ａが作成される。同様に、図７に示す位相ｂ、位相ｂ´及び位相ｂ´´…の各々に対応する画像データがデータ収集メモリ３００から呼び出され、これらが加算処理されることで、図８に示す呼気相Ｒにおける画像Ｂが作成される。同様に、図７に示す位相ｃ、位相ｃ´及び位相ｃ´´…の各々に対応する画像データがデータ収集メモリ３００から呼び出され、これらが加算処理されることで、図８に示す呼気相Ｒから吸気相Ｓに移行する際の画像Ｃが作成される。同様に、図７に示す位相ｄ、位相ｄ´及び位相ｄ´´…の各々に対応する画像データがデータ収集メモリ３００から呼び出され、これらが加算処理されることで、図８に示す吸気相Ｓにおける画像Ｄが作成される。
【００３６】
このようにして作成された位相毎の画像Ａ〜Ｄは、ディスクユニット５００に記憶されると共に、表示モニタ３２にて表示される（ステップ６）。尚、この時の画像Ａ〜Ｄの表示形態は、例えば、画像Ａ〜Ｄを順番に並べて同時に表示するものであっても良いし、最初は吸気相Ｒから呼気相Ｓへ移行する際の画像Ａのみを表示して、マウス３３の操作により、順次、呼気相Ｒにおける画像Ｂ、呼気相Ｒから吸気相Ｓに移行する際の画像Ｃ、吸気相Ｓにおける画像Ｄを表示するもの等であっても良い。
【００３７】
表示モニタ３２にて表示される、これら位相毎の画像Ａ〜Ｄは、何れも、被検体Ｐの呼吸体動の周期Ｔに同期して、その位相毎の画像データを加算処理して作成したものであるため、被検体Ｐの呼吸体動による影響が低減されている。よって、これら位相毎の画像Ａ〜Ｄには、コントラストが低下する等の問題も生じず、極めて良好な画像となる。
【００３８】
因みに、従来の画像Ｏは、図８に示すように、これらの画像Ａ〜Ｄの構成要素となる全ての画像データを加算処理して作成するものであるため、具体的に表現するならば、例えば、各位相における画像Ａ〜Ｄを重ねたような状態となり、全体としてぼやけた感じの画像となり、同時にコントラストが低下する等の問題が生じていた。
【００３９】
以上に説明したように、本実施形態における核医学診断装置によれば、被検体の胸部や腹部に関する撮影を行う場合に、被検体の呼吸運動を検出する呼吸モニタ等の装置を使用することなく、ソフト上の処理によって呼吸による体動の影響を補正した画像を作成することが可能であるため、コントラストが低下する等の不具合が生じることなく、簡単且つ容易に良好な画像を得ることができる。
【００４０】
尚、本発明に係る核医学診断装置は、以上に説明した本実施形態における核医学診断装置の形態に限定されるものではなく、例えば、当該装置の寝台１、架台２、操作コンソール３及び床レール４等の構成は、他の構成を採るものであっても良い。また、関心領域ＲＯＩの形状や設定位置等は、検査対象部位（胸部や腹部等）に応じて適宜設定すれば良い。また、位相分割部８００により変位曲線Ｕを各位相に分割する際の所定値は、設定する手間を省くために固定値としても良い。さらに、位相分割部８００により変位曲線Ｕを各位相に分割する際には、周期を基準とせずに、例えば、放射線計測カウンタ７００による放射線のカウント値を基準としても良い。このような場合であっても、同様に良好な画像を得ることができる。
【００４１】
【発明の効果】
以上に説明したように、本発明に係る核医学診断装置によれば、被検体の胸部や腹部を対象とする撮影を行う場合に、被検体の呼吸運動を検出する呼吸モニタ等の装置を使用することなく、撮影時に得られる画像データをソフト上にて処理することで、被検体の呼吸による体動の影響を補正して、画像を作成することができるので、コントラストが低下する等の不具合が生じることなく、簡単且つ容易に良好な画像を得ることができる。
【図面の簡単な説明】
【図１】本発明に係る核医学診断装置の一実施形態における全体構成を表す全体構成図である。
【図２】図１に示す核医学診断装置の制御構成を表すブロック図である。
【図３】図１に示す核医学診断装置における画像作成処理の流れを説明するためのフローチャートである。
【図４】図１に示す核医学診断装置における関心領域の設定方法を説明するための説明図である。
【図５】図１に示す核医学診断装置における関心領域の設定方法を説明するための説明図である。
【図６】図１に示す核医学診断装置の表示モニタに表示される関心領域内の放射線カウント値の時間的変化を表す変位曲線を示す図である。
【図７】図６に示す変位曲線を各位相に分割する方法を説明するための説明図である。
【図８】図１に示す核医学診断装置の表示モニタに表示される位相毎の画像と、従来の画像との違いを説明するための説明図である。
【符号の説明】
１…寝台
１１…天板
１２、１３…支持部
２…架台
２１…検出器本体
２２…検出器
２３…回転リング
２４…固定台
３…操作コンソール
３１…操作パネル
３２…表示モニタ
３３…マウス
４…床レール
１００…ＣＰＵ
２００…画像データ作成部
３００…データ収集メモリ
４００…画像作成部
５００…ディスクユニット
６００…関心領域設定部
７００…放射線カウンタ
８００…位相分割部
ａ〜ｄ…位相
ａ´〜ｄ´…位相
ａ´´〜ｄ´´…位相
Ａ…吸気相から呼気相に移行する際の画像
Ｂ…呼気相における画像
Ｃ…呼気相から吸気相に移行する際の画像
Ｄ…吸気相Ｓにおける画像
Ｏ…従来の画像
Ｐ…被検体
Ｑ…肺
Ｒ…呼気相
Ｓ…吸気相
Ｔ…呼吸体動の周期
Ｕ…変位曲線
【図１】
2004045318.tif 000003
【図２】
2004045318.tif 000004
【図３】
2004045318.tif 000005
【図４】
2004045318.tif 000006
【図５】
2004045318.tif 000007
【図６】
2004045318.tif 000008
【図７】
2004045318.tif 000009
【図８】
2004045318.tif 000010